(57)【要約】【課題】紙袋、布袋などからなる手提げに着脱自在とされ、耐久性を向上させるよう保護する手提げ保護具を提供する。【解決手段】紙袋Ｂなどの保護対象袋を収納する透明または半透明な収納部１と、該収納部１の開口端部から一体的に形成されてなる前記保護対象袋内面を保護する内面保護部２とからなる保護具本体と、該保護具本体に装着される把手３とを備えてなる手提げ保護具Ａである。この手提げ保護具Ａにおいては、内面保護部２が複数のシート状の内面保護部分２Ａ，２Ｂ，２Ｃ２Ｄからなり、これらの内面保護部分の一つの端部から内底面保護部分２Ｅが延伸形成されてなるのが好ましい。【選択図】　図１
2004113314.tif 000002
【特許請求の範囲】
【請求項１】
保護対象袋を収納する透明または半透明な収納部と、該収納部の開口端部から一体的に形成されてなる前記保護対象袋内面を保護する内面保護部とからなる保護具本体と、該保護具本体に装着される把手とを備えてなることを特徴とする手提げ保護具。
【請求項２】
内面保護部が複数のシート状の内面保護部分からなり、これらの内面保護部分の一つの端部から内底面保護部分が延伸形成されてなることを特徴とする請求項１記載の手提げ保護具。
【請求項３】
把手が着脱自在とされてなることを特徴とする請求項１記載の手提げ保護具。
【発明の詳細な説明】
【０００１】
【発明の属する技術分野】
本発明は、手提げ保護具に関する。さらに詳しくは、手提げの紙袋、布袋等を保護するように装着する手提げ保護具に関する。
【０００２】
【従来の技術】
各種有名ブランド商品の販売店では、購入商品の持ち運びのため商品購入時に手提げの紙袋等の提供がなされている。
【０００３】
この提供された手提げの紙袋等は、若年層を中心とする購入者の間でハンドバッグがわりに利用されている。これは、有名ブランド商品は、かなり高額なこともあって、特に若年層の間ではそのような袋自体が一種のステータスシンボルとなるとともに、通常の鞄よりも軽量でデザインの洒落たものも多いからである。ところが、このような紙袋はその材質から耐久性に乏しく、雨水などに濡れた場合には容易に損傷されてしまう。
【０００４】
したがって、特に、思い入れの深いものについては、その思い入れのゆえにかえって使用することができず、気に入ったものでありながら損傷をおそれて全く使用することができない、といったジレンマに陥ることも珍しいことではない。
【０００５】
【発明が解決しようとする課題】
本発明はかかる従来技術の課題に鑑みなされたものであって、紙袋、布袋などからなる手提げに着脱自在とされ、耐久性を向上させるよう保護する手提げ保護具を提供することを目的としている。
【０００６】
【課題を解決するための手段】
本発明の手提げ保護具は、保護対象袋を収納する透明または半透明な収納部と、該収納部の開口端部から一体的に形成されてなる前記保護対象袋内面を保護する内面保護部とからなる保護具本体と、該保護具本体に装着される把手とを備えてなることを特徴とする。
【０００７】
本発明の手提げ保護具においては、内面保護部が複数のシート状の内面保護部分からなり、これらの内面保護部分の一つの端部から内底面保護部分が延伸形成されてなるのが好ましい。
【０００８】
また、本発明の手提げ保護具においては、把手が着脱自在とされてなるのが好ましい。
【０００９】
【作用】
本発明の手提げ保護具は、前記の如く構成されているので、保護対象袋にブランドイメージなどを発揮させながらその保護を図ることができる。
【００１０】
【発明の実施の形態】
以下、添付図面を参照しながら本発明を実施形態に基づいて説明するが、本発明はかかる実施形態のみに限定されるものではない。
【００１１】
図１および図２に、本発明の一実施形態に係る手提げ保護具の概略構成を斜視図で示す。図１は使用時の状態を示し、図２は展開図を示す。手提げ保護具（以下、単に保護具という）Ａは、紙袋、布袋などからなる手提げ（保護対象袋）に装着され、その耐久性を向上させるよう保護するための外装具とされる。
【００１２】
保護具Ａは不透水性の透明または半透明な樹脂製シートからなり、装着対象となる手提げ袋（以下、単に袋という）Ｂ全体を収容するようにして保護する収容部１、および袋Ｂの内側各面を保護する内面保護部２からなる保護具本体と、袋Ｂを保護しつつ手に提げて持つことができるよう保護具本体に着脱自在に装着される把手３とから構成される。
【００１３】
収容部１は、袋Ｂ外側を過不足なく覆うように収容することができる所定の寸法、形状とされる。すなわち、袋Ｂの外形と相似しかつ袋Ｂよりも若干大きめの寸法、形状とされる。また、収容部１は定型的な各種の手提げ袋に適用できるように各種寸法、形状のものが用意される。
【００１４】
内面保護部２は、袋Ｂの開口に対応する収納部１の開口端から各側面を延伸するようにして形成される、所定数（実施形態では４）の内側面保護部分２Ａ、２Ｂ、２Ｃ、２Ｄと、これら内側面保護部分２Ａ、２Ｂ、２Ｃ、２Ｄのいずれか１つ（例えば内側面保護部分２Ａ）を、さらに延伸するようにして形成される内底面保護部分２Ｅとから構成されている。
【００１５】
これら内側面保護部分２Ａ、２Ｂ、２Ｃ、２Ｄは、袋Ｂの開口端に対応する折り線１１、１２、１３、１４にて袋Ｂの内側に折り込まれた状態で、袋Ｂ内側の各側面を覆うようにして保護するとともに、底面保護部分２Ｅは１つの内側面保護部分２Ａ先端の折り線１５にて折られた状態で、袋Ｂの内底面を覆うようにして保護する。
【００１６】
次に、図３を参照して把手３を説明する。
【００１７】
把手３は、例えば樹脂からなる紐状部材とされ、両端に収容部１および内面保護部２と係合する係合部４が設けられる。係合部４は、例えば硬質樹脂や金属からなる所定形状の突起５を有し、この突起５を収容部１および内面保護部２に設けられる、係合孔１０に所定の態様で係合させるようにして、把手３を保護具本体１に手提げ可能に装着するものとされる。
【００１８】
以下、係合部４および係合孔１０についてさらに詳しく説明する。
【００１９】
係合部４の突起５は、軸部５ａとその先端に形成される幅広の頭部５ｂとからなる。一方、装着孔１０は、袋Ｂに通常設けられている提げ紐挿通孔と対応する収容部１および内面保護部２上の位置に設けられ、硬質樹脂製または金属製の孔枠部材１０ａにより縁取られてなる、軸部５ａおよび頭部５ｂの両方が挿通可能な大径部分１０ｂと、大径部分１０ｂの上方（図１における上方）に連続的に形成される、軸部５ａのみが挿通可能な小径部分１０ｃとからなる。この場合、係合孔１０周縁部は、適当な補強がなされているのが好ましい。
【００２０】
この構成において、収容部１および内面保護部２の各係合孔１０の大径部分１０ａと袋Ｂの手提げ紐挿通孔とに、頭部５ｂを通過させるよう突起５を挿込んだ後、突起５の軸部５ａを小径部分１０ｃまで移動させ、この状態で手に提げるようにして、収容部１、袋Ｂおよび内面保護部２を突起５の軸部５ａにより懸吊しつつ、頭部５ｂを孔枠部材１０ａと係合させて、突起５の抜けを防止することが可能となる。
【００２１】
ここで、収容部１のみに係合孔１０を設け、突起５を収容部１の係合孔１０のみに挿通して吊るようにしてもよい。これにより、把手３の装着が簡易になるとともに、重量が主に収容部１のみに掛かり、袋Ｂの損傷をより確実に防止することができる。
【００２２】
このように、実施形態の保護具Ａによれば、不透水性の透明または半透明な樹脂シートからなる収容部１および内面保護部２により、袋Ｂの外面および内面を覆うようにして保護するので、袋Ｂにブランドイメージなどを発揮させながら袋Ｂの損傷、特に雨水などに濡れることによる損傷を防止することが可能となる。また、把手３が保護具本体に装着され、これを持つようにして袋Ｂが提げられるので、内容物の重量による袋Ｂの損傷を防止することが可能となる。
【００２３】
なお、本発明は、前記実施形態に限らず種々改変が可能である。例えば、図４に示すように、把手３の係合部ならびに収容部１および内面保護部２の係合孔については、係合部４Ａに先端部分５ｃの折り止めおよび伸ばし止めの切替が可能な軸状の突起５Ａを設けるとともに、収容部１および内面保護部２に通常の丸孔からなる係合孔を設け、突起５Ａを各係合孔および袋Ｂの提げ紐挿通孔に挿通した状態で先端部分５ｃを折り止めし、これにより突起５Ａの抜けを防止するようにしてもよい。そして、このようにすることにより、各種の袋Ｂへの保護具Ａの適用がより一層容易となる。
【００２４】
【発明の効果】
以上詳述したように、本発明の手提げ保護具によれば、保護対象袋にブランドイメージなどを発揮させながらその保護を図ることができるという優れた効果が得られる。
【図面の簡単な説明】
【図１】本発明の一実施形態に係る手提げ保護具の外観を示す斜視図である。
【図２】同手提げ保護具の展開図である。
【図３】同手提げ保護具における提げ構造の要部概略図である。
【図４】同提げ構造の変形例の要部断面図である。
【符号の説明】
Ａ　　　手提げ保護具
Ｂ　　　手提げ袋
１　　　収容部
２　　　内面保護部
３　　　把手
４　　　係合部
５　　　突起
【図１】
2004113314.tif 000003
【図２】
2004113314.tif 000004
【図３】
2004113314.tif 000005
【図４】
2004113314.tif 000006